(57)【要約】【課題】センサキャップの精度を向上させ、外方部材との嵌合部の密封性を確保した回転速度検出装置付き車輪用軸受装置を提供する。【解決手段】センサキャップ１０が、合成樹脂を射出成形してなる有底円筒状のキャップ本体１４と、この開口部に一体モールドされた芯金１５とからなり、キャップ本体１４の径方向外方部に取付部１６が軸方向に突出して形成され、この取付部１６に軸方向に延びる挿入孔１６ａが形成されると共に、この挿入孔１６ａにセンサユニットが装着される回転速度検出装置付き車輪用軸受装置において、キャップ本体１４の取付部１６にナット２１がインサート成形によって埋め込まれ、センサユニットが取付部１６に固定ボルト２２を介して着脱自在に固定されると共に、取付部１６のキャップ本体１４の略中心にゲート２５の位置が設定されている。【選択図】図３
2011052755.tif 000002
【特許請求の範囲】
【請求項１】
内周に複列の外側転走面が一体に形成された外方部材と、
一端部に車輪を取り付けるための車輪取付フランジを一体に有し、外周に軸方向に延びる小径段部が形成されたハブ輪、およびこのハブ輪の小径段部に圧入された少なくとも一つの内輪からなり、外周に前記複列の外側転走面に対向する複列の内側転走面が形成された内方部材と、
この内方部材と前記外方部材のそれぞれの転走面間に転動自在に収容された複列の転動体と、
前記内輪に外嵌され、円周方向に特性を交互に、かつ等間隔に変化させたパルサリングと、
前記外方部材のインナー側の端部に内嵌固定され、合成樹脂を射出成形してなる有底円筒状のセンサキャップとを備え、
このセンサキャップの径方向外方部に取付部が軸方向に突出して形成され、この取付部の前記パルサリングに対応する位置に軸方向に延びる挿入孔が形成されると共に、
この挿入孔にセンサユニットが装着され、このセンサユニットに包埋された回転速度センサが前記パルサリングに所定の軸方向エアギャップを介して対峙されている回転速度検出装置付き車輪用軸受装置において、
前記センサキャップの取付部にゲートの位置が設定されていることを特徴とする回転速度検出装置付き車輪用軸受装置。
【請求項２】
前記センサキャップの略中心に前記ゲートの位置が設定されている請求項１に記載の回転速度検出装置付き車輪用軸受装置。
【請求項３】
前記取付部に連続して突起部が形成され、この突起部に前記ゲートの位置が設定されていれている請求項１または２に記載の回転速度検出装置付き車輪用軸受装置。
【請求項４】
前記突起部の端面が前記取付部の端面よりも僅かに低く形成されている請求項３に記載の回転速度検出装置付き車輪用軸受装置。
【請求項５】
前記突起部の端面が前記取付部の端面よりも僅かに高く形成されている請求項３に記載の回転速度検出装置付き車輪用軸受装置。
【請求項６】
前記突起部の端面と前記取付部の端面とが略面一に形成されている請求項３に記載の回転速度検出装置付き車輪用軸受装置。
【請求項７】
前記突起部の幅寸法が前記取付部の幅寸法よりも小さく形成されている請求項４乃至６いずれかに記載の回転速度検出装置付き車輪用軸受装置。
【請求項８】
前記センサユニットが、前記回転速度センサが包埋された挿入部と前記センサキャップの取付部に固定される取付フランジとを一体に有するセンサホルダを備え、前記取付部にナットがインサート成形によって埋め込まれ、前記センサホルダが前記取付部に固定ボルトを介して着脱自在に固定されている請求項１に記載の回転速度検出装置付き車輪用軸受装置。
【請求項９】
前記センサキャップが、合成樹脂を射出成形してなる有底円筒状のキャップ本体と、このキャップ本体の開口部に一体モールドされた芯金とからなり、この芯金が前記キャップ本体の外周部に露出し、前記外方部材の端部内周に圧入されている請求項１に記載の回転速度検出装置付き車輪用軸受装置。
【請求項１０】
前記芯金が非磁性体の鋼鈑からプレス加工によって形成されている請求項９に記載の回転速度検出装置付き車輪用軸受装置。
【発明の詳細な説明】
【技術分野】
【０００１】
本発明は、自動車等の車輪を懸架装置に対して回転自在に支承する車輪用軸受装置、特に、車輪の回転速度を検出する回転速度検出装置が内蔵され、密封性の向上を図った回転速度検出装置付き車輪用軸受装置に関するものである。
【背景技術】
【０００２】
自動車の車輪を懸架装置に対して回転自在に支承すると共に、アンチロックブレーキシステム（ＡＢＳ）を制御し、車輪の回転速度を検出する回転速度検出装置が内蔵された回転速度検出装置付き車輪用軸受装置が一般的に知られている。従来、このような車輪用軸受装置は、転動体を介して転接する内方部材および外方部材の間にシール装置が設けられ、円周方向に磁極を交互に並べてなる磁気エンコーダを前記シール装置に一体化させると共に、磁気エンコーダと、この磁気エンコーダに対面配置され、車輪の回転に伴う磁気エンコーダの磁極変化を検出する回転速度センサとで回転速度検出装置が構成されている。
【０００３】
前記回転速度センサは、懸架装置を構成するナックルに車輪用軸受装置が装着された後、当該ナックルに装着されているものが一般的である。しかし、この回転速度センサと磁気エンコーダとのエアギャップの調整作業の煩雑さを解消すると共に、よりコンパクト化を狙って、最近では回転速度センサをも軸受に内蔵した回転速度検出装置付き車輪用軸受装置が提案されている。
【０００４】
このような回転速度検出装置付き車輪用軸受装置の一例として図８に示すような構造が知られている。この回転速度検出装置付き車輪用軸受装置は、図示しないナックルに支持固定され、固定部材となる外方部材５１と、この外方部材５１に複列のボール５３、５３を介して内挿された内方部材５２とを有している。内方部材５２は、ハブ輪５５と、このハブ輪５５に外嵌された内輪５６とからなる。
【０００５】
外方部材５１は、外周に車体取付フランジ５１ｂを一体に有し、内周には複列の外側転走面５１ａ、５１ａが形成されている。一方、内方部材５２は、前記した外方部材５１の外側転走面５１ａ、５１ａに対向する複列の内側転走面５５ａ、５６ａが形成されている。これら複列の内側転走面５５ａ、５６ａのうち一方の内側転走面５５ａはハブ輪５５の外周に一体形成され、他方の内側転走面５６ａは内輪５６の外周に形成されている。この内輪５６は、ハブ輪５５の内側転走面５５ａから軸方向に延びる軸状の小径段部５５ｂに圧入されている。そして、複列のボール５３、５３がこれら両転走面間にそれぞれ収容され、保持器５７、５７によって転動自在に保持されている。
【０００６】
ハブ輪５５は、外周に車輪（図示せず）を取り付けるための車輪取付フランジ５４を一体に有し、小径段部５５ｂの端部を径方向外方に塑性変形して加締部５８が形成され、この加締部５８によって前記内輪５６が軸方向に固定されている。そして、外方部材５１の端部にはシール５９およびセンサキャップ６３が装着され、軸受内部に封入された潤滑グリースの漏洩と、外部から軸受内部に雨水やダスト等が侵入するのを防止している。
【０００７】
内輪５６の外周には磁気エンコーダ６０が圧入されている。この磁気エンコーダ６０は、磁性金属板により断面が略Ｌ字状の円環状に形成された支持環６１と、この支持環６１の側面に添着されたエンコーダ本体６２とで構成されている。このエンコーダ本体６２は、フェライトの粉末を混入させたゴム等の永久磁石からなり、円周方向にＳ極とＮ極とが交互に等間隔に着磁されている。
【０００８】
センサキャップ６３は外方部材５１の内方側の端部内周に嵌合され、外方部材５１の開口部を閉塞している。このセンサキャップ６３は、合成樹脂を射出成形してなる有底円筒状のキャップ本体６４と、このキャップ本体６４に結合された金属環６５とからなる。金属環６５は、鋼板をプレス成形して断面Ｌ字形の円環状に形成されている。そして、キャップ本体６４の射出成形時にモールドすることにより、このキャップ本体６４に一体化されている。
【０００９】
キャップ本体６４の径方向外方部には軸方向に突出する突部６６が形成され、この突部６６に、前記磁気エンコーダ６０に対応する位置に挿入孔６７が形成されている。図９に示すように、挿入孔６７の内周面にはスリーブ６８が嵌合され、このスリーブ６８内にセンサ６９がＯリング７０を介して挿入されている。このセンサ６９は、ホール素子、磁気抵抗素子（ＭＲ素子）等、磁束の流れ方向に応じて特性を変化させる磁気検出素子７１およびこの磁気検出素子７１の出力波形を整える波形整形回路が組み込まれたＩＣ等からなり、車輪の回転速度を検出してその回転数を制御する自動車のアンチロックブレーキシステムを構成している。
【００１０】
センサ６９には取付片７２が突設されている。取付片７２はボルト挿通孔７３を有し、このボルト挿通孔７３にスリーブ７４が嵌合されている。そして、このスリーブ７４内に挿入されたセンサ固定ボルト７５をインサートナット７６にねじ込むことにより、センサ６９がキャップ本体６４に取り付けられる。
【００１１】
ここで、キャップ本体６４とセンサ６９は、ＰＡ（ポリアミド）６１２、ＰＰＳ（ポリフェニレンサルファイド）系の低吸水率プラスチック材料からなり、センサ取付部材の吸水による寸法変化やクラックの発生を防止して、密封性を維持することができる（例えば、特許文献１参照。）。
【先行技術文献】
【特許文献】
【００１２】
【特許文献１】特開２００７−１２０５６０号公報
【発明の概要】
【発明が解決しようとする課題】
【００１３】
このような従来の回転速度検出装置付き車輪用軸受装置において、図１０に示すように、キャップ本体６４は合成樹脂を射出成形することによって成形されるが、この場合、ゲート７７から合成樹脂を金型に流して成形される。このゲート７７までの注入口は、図１０（ａ）の二点鎖線にて示すように、円錐形状になっており、金型本体に一体に形成されている。したがって、キャップ本体６４の突部６６とこの注入口が干渉しないよう、突部６６から離間した位置にゲート７７が設けられている。
【００１４】
然しながら、ゲート７７がキャップ本体６４の中心から離れると、合成樹脂の流れが（ｂ）に矢印にて示すように、嵌合部に沿って円周方向に流れるようになる。すると、Ａ部では円周方向に合成樹脂がスムーズに流れる一方、Ｂ部では、合成樹脂が滞留して合成樹脂が流れる速さに違いが生じ、その結果、合成樹脂が成形される時間に差が発生する。
【００１５】
換言すると、合成樹脂がスムーズに流れるＡ部では合成樹脂が収縮し難く、合成樹脂が滞留するＢ部では合成樹脂が収縮し易くなる。この場合、Ｂ部にヒケ等が発生するだけでなく、キャップ本体６４が楕円形状になり、嵌合部の真円度が崩れることになる。これでは、嵌合部の密封性が低下して外部から雨水やダスト等の異物が軸受内部に侵入する恐れがあると共に、車両の走行中の振動や衝撃によってセンサキャップ６３が外方部材５１から抜け出し、初期に設定されたエアギャップが崩れる恐れがあった。
【００１６】
本発明は、このような従来の問題に鑑みてなされたもので、センサキャップの精度を向上させ、外方部材との嵌合部の密封性を確保した回転速度検出装置付き車輪用軸受装置を提供することを目的とする。
【課題を解決するための手段】
【００１７】
係る目的を達成すべく、本発明のうち請求項１に記載の発明は、内周に複列の外側転走面が一体に形成された外方部材と、一端部に車輪を取り付けるための車輪取付フランジを一体に有し、外周に軸方向に延びる小径段部が形成されたハブ輪、およびこのハブ輪の小径段部に圧入された少なくとも一つの内輪からなり、外周に前記複列の外側転走面に対向する複列の内側転走面が形成された内方部材と、この内方部材と前記外方部材のそれぞれの転走面間に転動自在に収容された複列の転動体と、前記内輪に外嵌され、円周方向に特性を交互に、かつ等間隔に変化させたパルサリングと、前記外方部材のインナー側の端部に内嵌固定され、合成樹脂を射出成形してなる有底円筒状のセンサキャップとを備え、このセンサキャップの径方向外方部に取付部が軸方向に突出して形成され、この取付部の前記パルサリングに対応する位置に軸方向に延びる挿入孔が形成されると共に、この挿入孔にセンサユニットが装着され、このセンサユニットに包埋された回転速度センサが前記パルサリングに所定の軸方向エアギャップを介して対峙されている回転速度検出装置付き車輪用軸受装置において、前記センサキャップの取付部にゲートの位置が設定されている。
【００１８】
このように、内輪に外嵌され、円周方向に特性を交互に、かつ等間隔に変化させたパルサリングと、外方部材のインナー側の端部に内嵌固定され、合成樹脂を射出成形してなる有底円筒状のセンサキャップとを備え、このセンサキャップの径方向外方部に取付部が軸方向に突出して形成され、この取付部のパルサリングに対応する位置に軸方向に延びる挿入孔が形成されると共に、この挿入孔にセンサユニットが装着され、このセンサユニットに包埋された回転速度センサがパルサリングに所定の軸方向エアギャップを介して対峙されている回転速度検出装置付き車輪用軸受装置において、センサキャップの取付部にゲートの位置が設定されているので、金型本体に一体に形成された注入口が、センサキャップの取付部に干渉するのを防止できると共に、溶融した合成樹脂が取付部を経由して放射方向にスムーズに流れ、流れる速さに大きな時間差を生じることがない。したがって、ヒケ等が発生するのを防止しつつ、所望の真円度を確保することができ、センサキャップの精度を向上させ、外方部材との嵌合部の密封性を確保した回転速度検出装置付き車輪用軸受装置を提供することができる。
【００１９】
好ましくは、請求項２に記載の発明のように、前記センサキャップの略中心に前記ゲートの位置が設定されていれば、溶融した合成樹脂が取付部を経由して放射方向にスムーズに流れ、流れる速さが実質的に均一となり、ヒケ等が発生するのを防止すると共に、所望の真円度を確保してセンサキャップの精度を向上させることができる。
【００２０】
また、請求項３に記載の発明のように、前記取付部に連続して突起部が形成され、この突起部に前記ゲートの位置が設定されていれていれば、取付部の形状やサイズに影響を受けず、溶融した合成樹脂が放射方向にスムーズに流れ、流れる速さが実質的に均一となるように、ゲートの位置を設定することができる。
【００２１】
また、請求項４に記載の発明のように、前記突起部の端面が前記取付部の端面よりも僅かに低く形成されていても良い。また、請求項５に記載の発明のように、前記突起部の端面が前記取付部の端面よりも僅かに高く形成されていても良い。また、請求項６に記載の発明のように、前記突起部の端面と前記取付部の端面とが略面一に形成されていても良い。
【００２２】
また、請求項７に記載の発明のように、前記突起部の幅寸法が前記取付部の幅寸法よりも小さく形成されていれば、材料費削減、軽量化を図ることが可能である。
【００２３】
また、請求項８に記載の発明のように、前記センサユニットが、前記回転速度センサが包埋された挿入部と前記センサキャップの取付部に固定される取付フランジとを一体に有するセンサホルダを備え、前記取付部にナットがインサート成形によって埋め込まれ、前記センサホルダが前記取付部に固定ボルトを介して着脱自在に固定されていれば、センサユニットが長期間に亘ってずれることなく確実に固定することができる。
【００２４】
また、請求項９に記載の発明のように、前記センサキャップが、合成樹脂を射出成形してなる有底円筒状のキャップ本体と、このキャップ本体の開口部に一体モールドされた芯金とからなり、この芯金が前記キャップ本体の外周部に露出し、前記外方部材の端部内周に圧入されていれば、センサキャップの強度・剛性を高めることができると共に、金属嵌合により嵌合部の密封性を向上させることができる。
【００２５】
また、請求項１０に記載の発明のように、前記芯金が非磁性体の鋼鈑からプレス加工によって形成されていれば、回転速度センサの感知性能に悪影響を及ぼすことなく高精度な速度検出を行うことができる。
【発明の効果】
【００２６】
本発明に係る回転速度検出装置付き車輪用軸受装置は、内周に複列の外側転走面が一体に形成された外方部材と、一端部に車輪を取り付けるための車輪取付フランジを一体に有し、外周に軸方向に延びる小径段部が形成されたハブ輪、およびこのハブ輪の小径段部に圧入された少なくとも一つの内輪からなり、外周に前記複列の外側転走面に対向する複列の内側転走面が形成された内方部材と、この内方部材と前記外方部材のそれぞれの転走面間に転動自在に収容された複列の転動体と、前記内輪に外嵌され、円周方向に特性を交互に、かつ等間隔に変化させたパルサリングと、前記外方部材のインナー側の端部に内嵌固定され、合成樹脂を射出成形してなる有底円筒状のセンサキャップとを備え、このセンサキャップの径方向外方部に取付部が軸方向に突出して形成され、この取付部の前記パルサリングに対応する位置に軸方向に延びる挿入孔が形成されると共に、この挿入孔にセンサユニットが装着され、このセンサユニットに包埋された回転速度センサが前記パルサリングに所定の軸方向エアギャップを介して対峙されている回転速度検出装置付き車輪用軸受装置において、前記センサキャップの取付部にゲートの位置が設定されているので、金型本体に一体に形成された注入口が、センサキャップの取付部に干渉するのを防止できると共に、溶融した合成樹脂が取付部を経由して放射方向にスムーズに流れ、流れる速さに大きな時間差を生じることがない。したがって、ヒケ等が発生するのを防止しつつ、所望の真円度を確保することができ、センサキャップの精度を向上させ、外方部材との嵌合部の密封性を確保した回転速度検出装置付き車輪用軸受装置を提供することができる。
【図面の簡単な説明】
【００２７】
【図１】本発明に係る回転速度検出装置付き車輪用軸受装置の一実施形態を示す縦断面図である。
【図２】図１の要部拡大図である。
【図３】（ａ）は、図１のセンサキャップ単体を示す縦断面、（ｂ）は、（ａ）の側面図である。
【図４】（ａ）は、図３のセンサキャップ単体の変形例を示す縦断面、（ｂ）は、（ａ）の側面図である。
【図５】（ａ）は、図３のセンサキャップ単体の他の変形例を示す縦断面、（ｂ）は、（ａ）の側面図である。
【図６】（ａ）は、図３のセンサキャップ単体の他の変形例を示す縦断面、（ｂ）は、（ａ）の側面図である。
【図７】（ａ）は、図３のセンサキャップ単体の他の変形例を示す縦断面、（ｂ）は、（ａ）の側面図である。
【図８】従来の回転速度検出装置付き車輪用軸受装置を示す縦断面図である。
【図９】図８の要部拡大図である。
【図１０】（ａ）は、図８のセンサキャップ単体を示す縦断面図、（ｂ）は、（ａ）の側面図である。
【発明を実施するための形態】
【００２８】
外周に車体に取り付けられるための車体取付フランジを一体に有し、内周に複列の外側転走面が一体に形成された外方部材と、一端部に車輪を取り付けるための車輪取付フランジを一体に有し、外周に前記複列の外側転走面の一方に対向する内側転走面と、この内側転走面から軸方向に延びる小径段部が形成されたハブ輪、およびこのハブ輪の小径段部に圧入され、前記複列の外側転走面の他方に対向する内側転走面が形成された内輪からなる内方部材と、この内方部材と前記外方部材のそれぞれの転走面間に転動自在に収容された複列の転動体と、前記内輪に外嵌され、円周方向に特性を交互に、かつ等間隔に変化させたパルサリングと、前記外方部材のインナー側の端部に内嵌固定されたセンサキャップとを備え、このセンサキャップが、合成樹脂を射出成形してなる有底円筒状のキャップ本体と、このキャップ本体の開口部に一体モールドされた芯金とからなり、前記キャップ本体の径方向外方部に取付部が軸方向に突出して形成され、この取付部の前記パルサリングに対応する位置に軸方向に延びる挿入孔が形成されると共に、この挿入孔にセンサユニットが装着され、このセンサユニットに包埋された回転速度センサが前記パルサリングに所定の軸方向エアギャップを介して対峙されている回転速度検出装置付き車輪用軸受装置において、前記センサユニットが、前記回転速度センサが包埋された挿入部と前記キャップ本体の取付部に固定される取付フランジとを一体に有するセンサホルダを備え、前記取付部にナットがインサート成形によって埋め込まれ、前記センサユニットが前記取付部に固定ボルトを介して着脱自在に固定されると共に、前記取付部の前記センサキャップの略中心に前記ゲートの位置が設定されている。
【実施例】
【００２９】
以下、本発明の実施の形態を図面に基づいて詳細に説明する。
図１は、本発明に係る回転速度検出装置付き車輪用軸受装置の一実施形態を示す縦断面図、図２は、図１の要部拡大図、図３（ａ）は、図１のセンサキャップ単体を示す縦断面、（ｂ）は、（ａ）の側面図、図４乃至図７は、図３の変形例を示す。なお、以下の説明では、車両に組み付けた状態で車両の外側寄りとなる側をアウター側（図１の左側）、中央寄り側をインナー側（図１の右側）という。
【００３０】
この回転速度検出装置付き車輪用軸受装置は従動輪側の第３世代と呼称され、ハブ輪１と複列の転がり軸受２とがユニット化して構成されている。複列の転がり軸受２は、内方部材３と外方部材４、および両部材３、４間に転動自在に収容された複列の転動体（ボール）５、５とを備えている。内方部材３は、ハブ輪１と、このハブ輪１に圧入固定された内輪７とを指す。
【００３１】
ハブ輪１は、アウター側の端部に車輪（図示せず）を取り付けるための車輪取付フランジ６を一体に有し、この車輪取付フランジ６の円周等配位置には車輪を締結するためのハブボルト６ａが植設されている。また、外周にアウター側（一方）の内側転走面１ａと、この内側転走面１ａから軸方向に延びる軸状の小径段部１ｂが形成され、この小径段部１ｂに内輪７が所定のシメシロを介して圧入されている。そして、小径段部１ｂの端部を径方向外方に塑性変形させて加締部１ｃが形成され、この加締部１ｃによってハブ輪１に対して内輪７が所定の軸受予圧が付与された状態で軸方向に固定されている。なお、内輪７の外周にはインナー側の内側転走面７ａが形成されている。
【００３２】
一方、外方部材４は、外周に懸架装置を構成するナックル（図示せず）に固定される車体取付フランジ４ｂを一体に有し、内周に前記内方部材３の複列の内側転走面１ａ、７ａに対向する複列の外側転走面４ａ、４ａが一体に形成されている。複列の転がり軸受２は、これら両転走面４ａ、１ａおよび４ａ、７ａ間に収容された複列の転動体５、５と、これら複列の転動体５、５を周方向等配に転動自在に保持する保持器８とを備えている。
【００３３】
外方部材４の両端部にはシール９およびセンサキャップ１０が装着され、外方部材４と内方部材３間に形成される環状空間の開口部を密封している。そして、これらシール９およびセンサキャップ１０により、軸受内部に封入された潤滑グリースの外部への漏洩と、外部から雨水やダスト等が軸受内部に侵入するのを防止している。
【００３４】
ハブ輪１はＳ５３Ｃ等の炭素０．４０〜０．８０ｗｔ％を含む中高炭素鋼で形成され、内側転走面１ａをはじめ、シール９のシールランド部となる車輪取付フランジ６のインナー側の基部６ｂから小径段部１ｂに亙って高周波焼入れによって表面硬さを５８〜６４ＨＲＣの範囲に硬化処理されている。なお、加締部１ｃは、鍛造後の素材表面硬さ３０ＨＲＣ以下の未焼入れ部としている。
【００３５】
また、外方部材４は、ハブ輪１と同様、Ｓ５３Ｃ等の炭素０．４０〜０．８０ｗｔ％を含む中高炭素鋼で形成され、少なくとも複列の外側転走面４ａ、４ａが高周波焼入れによって表面硬さを５８〜６４ＨＲＣの範囲に硬化処理されている。一方、内輪７および転動体５はＳＵＪ２等の高炭素クロム軸受鋼からなり、ズブ焼入れにより芯部まで５８〜６４ＨＲＣの範囲で硬化処理されている。なお、ここでは、複列の転がり軸受２として、転動体５、５をボールとした複列アンギュラ玉軸受を例示したが、これに限らず転動体に円錐ころを使用した複列円錐ころ軸受であっても良い。また、第３世代の構造を例示したが、一対の内輪をハブ輪に圧入した、所謂第２世代構造であっても良い。
【００３６】
内輪７の外周にはパルサリング１１が圧入されている。このパルサリング１１は、円環状に形成された支持環１２と、この支持環１２の側面に加硫接着等で一体に接合された磁気エンコーダ１３とで構成されている。この磁気エンコーダ１３は、ゴム等のエラストマにフェライト等の磁性体粉が混入され、周方向に交互に磁極Ｎ、Ｓが着磁されて車輪の回転速度検出用のロータリエンコーダを構成している。
【００３７】
支持環１２は強磁性体の鋼鈑、例えば、フェライト系のステンレス鋼鈑（ＪＩＳ規格のＳＵＳ４３０系等）や防錆処理された冷間圧延鋼鈑（ＪＩＳ規格のＳＰＣＣ系等）からプレス加工によって断面略Ｌ字状に形成され、内輪７に圧入される円筒部１２ａと、この円筒部１２ａから径方向内方に延びる立板部１２ｂとを有している。この立板部１２ｂのインナー側の側面に磁気エンコーダ１３が接合されている。
【００３８】
センサキャップ１０は外方部材４のインナー側の端部に内嵌固定され、外方部材４の開口部を閉塞している。このセンサキャップ１０は、合成樹脂を射出成形してなる有底円筒状のキャップ本体１４と、このキャップ本体１４の開口部に一体モールドされた芯金１５とからなる。この芯金１５は、耐食性を有するステンレス鋼板をプレス成形して断面Ｌ字形の円環状に形成されている。特に、この芯金１５は、後述する回転速度センサ１９の感知性能に悪影響を及ぼさないように、非磁性体の鋼鈑、例えば、オーステナイト系ステンレス鋼鈑（ＪＩＳ規格のＳＵＳ３０４系等）で形成されるのが好ましい。なお、キャップ本体１４の弾性がある樹脂からなる外周部と外方部材４との嵌合により密封性を向上させることができる。
【００３９】
ここで、図２に拡大して示すように、キャップ本体１４の径方向外方部には軸方向に突出する取付部１６が一体に突設され、この取付部１６の磁気エンコーダ１３に対応する位置に軸方向に貫通する挿入孔１６ａが形成されている。この挿入孔１６ａにセンサユニット１７がＯリング１８を介して挿入されている。
【００４０】
センサユニット１７は、ホール素子、磁気抵抗素子（ＭＲ素子）等、磁束の流れ方向に応じて特性を変化させる磁気検出素子からなる回転速度センサ１９およびこの磁気検出素子の出力波形を整える波形整形回路が組み込まれたＩＣ等からなり、車輪の回転速度を検出してその回転数を制御する自動車のアンチロックブレーキシステムを構成している。
【００４１】
回転速度センサ１９は合成樹脂からなるセンサホルダ２０内に包埋されている。このセンサホルダ２０には、挿入部２０ａと取付フランジ２０ｂが一体に形成されている。また、キャップ本体１４の取付部１６には、内周に雌ねじ２１ａが形成されたナット２１がインサート成形によって埋め込まれている。そして、取付フランジ２０ｂを介して固定ボルト２２を締結することにより、センサユニット１７が取付部１６に固定される。なお、ナット２１の外周には環状溝２１ｂが形成され、ナット２１が軸方向に移動するのを防止している。
【００４２】
ここで、本実施形態では、図３に示すように、キャップ本体１４の取付部１６の挿入孔１６ａとナット２１との間にゲート２５の位置が設定されている。これにより、金型本体に一体に形成された注入口が、キャップ本体１４の取付部１６に干渉するのを防止できると共に、図３（ｂ）に矢印にて示すように、溶融した合成樹脂が取付部１６を経由して放射方向にスムーズに流れ、流れる速さに大きな時間差を生じることがない。したがって、ヒケ等が発生するのを防止しつつ、所望の真円度を確保することができ、センサキャップ１０の精度を向上させ、外方部材４との嵌合部の密封性を確保した回転速度検出装置付き車輪用軸受装置を提供することができる。
【００４３】
図４に、図３の変形例を示す。この実施形態は、前述したものと基本的にはゲートの位置が異なるだけで、その他同一部品同一部位あるいは同様の機能を有する部品や部位には同じ符合を付して詳細な説明を省略する。
【００４４】
この実施形態は、キャップ本体１４’の取付部１６’のナット２１の近傍で、キャップ本体１４’の略中心にゲート２５の位置が設定されている。これにより、金型本体に一体に形成された注入口が、キャップ本体１４’の取付部１６’に干渉するのを防止できると共に、図４（ｂ）に矢印にて示すように、溶融した合成樹脂が取付部１６’を経由して放射方向にスムーズに流れ、流れる速さが実質的に均一となり、ヒケ等が発生するのを防止すると共に、所望の真円度を確保してセンサキャップ１０’の精度を向上させることができる。
【００４５】
図５に、図３の他の変形例を示す。なお、この実施形態は、前述した実施形態と基本的には取付部の形状が一部異なるだけで、その他前述した実施形態と同一部品同一部位あるいは同一機能を有する部位には同じ符号を付してその詳細な説明を省略する。
【００４６】
キャップ本体２６の径方向外方部には軸方向に突出する取付部２７が一体に突設され、この取付部２７に連続して突起部２８が形成されている。突起部２８の端面は、取付部２７の端面よりも僅かに低く形成され、この突起部２８にゲート２５の位置が設定されている。これにより、金型本体に一体に形成された注入口が、キャップ本体２６の取付部２７に干渉するのを防止できると共に、取付部２７の形状やサイズに影響を受けず、溶融した合成樹脂が放射方向にスムーズに流れ、流れる速さが実質的に均一となるように、ゲート２５の位置を設定することができる。さらに、突起部２８の端面が取付部２７の端面よりも低く形成されているので、材料費削減及び軽量化を図ることができる。
【００４７】
また、本実施形態では、取付部２７の幅寸法Ｗ１よりも突起部２８の幅寸法Ｗ２が小さく形成されている（Ｗ１＞Ｗ２）。これにより、材料費削減及び軽量化を図ることができる。
【００４８】
図６に、図３の他の変形例を示す。なお、この実施形態は、前述した実施形態と基本的には取付部の形状が一部異なるだけで、その他前述した実施形態と同一部品同一部位あるいは同一機能を有する部位には同じ符号を付してその詳細な説明を省略する。
【００４９】
キャップ本体２９の径方向外方部には軸方向に突出する取付部３０が一体に突設され、この取付部３０に連続して突起部３１が形成されている。突起部３１の端面は、取付部３０の端面よりも僅かに高く形成され、この突起部３１にゲート２５の位置が設定されている。これにより、前述した実施形態と同様、金型本体に一体に形成された注入口が、キャップ本体２９の取付部３０に干渉するのを防止できると共に、取付部３０の形状やサイズに影響を受けず、溶融した合成樹脂が放射方向にスムーズに流れ、流れる速さが実質的に均一となるように、ゲート２５の位置を設定することができる。さらに、突起部２８の端面が取付部２７の端面よりも僅かに高く形成されているので、注入口が様々なセンサ取付部形状から干渉するのを防止できる。
【００５０】
図７に、図３の他の変形例を示す。なお、この実施形態は、前述した実施形態と基本的には取付部の形状が一部異なるだけで、その他前述した実施形態と同一部品同一部位あるいは同一機能を有する部位には同じ符号を付してその詳細な説明を省略する。
【００５１】
キャップ本体３２の径方向外方部には軸方向に突出する取付部３３が一体に突設され、この取付部３３に連続して突起部３４が形成されている。突起部３４の端面は、取付部３３の端面と略面一に形成され、この突起部３４にゲート２５の位置が設定されている。これにより、前述した実施形態と同様、金型本体に一体に形成された注入口が、キャップ本体３２の取付部３３に干渉するのを防止できると共に、取付部３３の形状やサイズに影響を受けず、溶融した合成樹脂が放射方向にスムーズに流れ、流れる速さが実質的に均一となるように、ゲート２５の位置を設定することができる。さらに、突起部２８の端面と取付部２７の端面とが略面一に形成されているので、金型の製作が容易になる。
【００５２】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００５３】
本発明に係る回転速度検出装置付き車輪用軸受装置は、外方部材に合成樹脂製のキャップ本体が嵌合される車輪用軸受装置に適用することができる。
【符号の説明】
【００５４】
１  ハブ輪
１ａ、７ａ  内側転走面
１ｂ  小径段部
１ｃ  加締部
２  複列の転がり軸受
３  内方部材
４  外方部材
４ａ  外側転走面
４ｂ  車体取付フランジ
５  転動体
６  車輪取付フランジ
６ａ  ハブボルト
６ｂ  車輪取付フランジのインナー側の基部
７  内輪
８  保持器
９  シール
１０、１０’  センサキャップ
１１  パルサリング
１２  支持環
１２ａ  円筒部
１２ｂ  立板部
１３  磁気エンコーダ
１４、１４’、２６、２９、３２  キャップ本体
１５  芯金
１６、１６’、２７、３０、３３  取付部
１６ａ  挿入孔
１７  センサユニット
１８  Ｏリング
１９  回転速度センサ
２０  センサホルダ
２０ａ  挿入部
２０ｂ  取付フランジ
２１  ナット
２１ａ  雌ねじ
２１ｂ  環状溝
２２  固定ボルト
２５  ゲート
２８、３１、３４  突起部
５１  外方部材
５１ａ  外側転走面
５１ｂ  車体取付フランジ
５２  内方部材
５３  ボール
５４  車輪取付フランジ
５５  ハブ輪
５５ａ、５６ａ  内側転走面
５５ｂ  小径段部
５６  内輪
５７  保持器
５８  加締部
５９  シール
６０  磁気エンコーダ
６１  支持環
６２  エンコーダ本体
６３  センサキャップ
６４  キャップ本体
６５  金属環
６６  突部
６７  挿入孔
６８、７４  スリーブ
６９  センサ
７０  Ｏリング
７１磁気検出素子
７２  取付片
７３  ボルト挿通孔
７５  センサ固定ボルト
７６  インサートナット
７７  ゲート
Ｗ１  取付部の幅
Ｗ２  突起部の幅
【図１】
2011052755.tif 000003
【図２】
2011052755.tif 000004
【図３】
2011052755.tif 000005
【図４】
2011052755.tif 000006
【図５】
2011052755.tif 000007
【図６】
2011052755.tif 000008
【図７】
2011052755.tif 000009
【図８】
2011052755.tif 000010
【図９】
2011052755.tif 000011
【図１０】
2011052755.tif 000012